(57)【要約】      （修正有）【課題】ニードルとの関係で適切な位置関係となるように飲料水バッグをセット可能とするための飲料水バッグ用カートリッジ、及びこれを備えたウォーターサーバーを提供する。【解決手段】飲料水バッグ用カートリッジ５０は、内部に収容された飲料水を注出部から注出可能とされた飲料水バッグ２０を配置するために設けられた略凹状のバッグ配置部１４と、飲料水バッグ２０に接続されるニードル１５とを備えたウォーターサーバー１０に用いられる。飲料水バッグ用カートリッジ５０は、バッグ配置部１４に対して挿入可能な袋受入部と、注出部を位置決めして保持する保持部とを有する。袋受入部をバッグ配置部１４に挿入することにより、袋受入部に収容されている飲料水バッグ２０の注出部に対してニードル１５が差し込まれる。【選択図】図１
2016022986.tif 000002
【特許請求の範囲】
【請求項１】
内部に収容された飲料水を注出部から注出可能とされた飲料水バッグを配置するための略凹状のバッグ配置部と、前記飲料水バッグに接続されるニードルとを備えたウォーターサーバーに用いられる飲料水バッグ用カートリッジであって、
前記飲料水バッグを受け入れた状態で、前記バッグ配置部に対して挿入可能な袋受入部と、
前記袋受入部を前記バッグ配置部に挿入することにより、前記注出部に前記ニードルを差し込み可能なように前記注出部を位置決めして保持する保持部と、
を有すること、を特徴とする飲料水バッグ用カートリッジ。
【請求項２】
前記注出部を挟み込んで保持するクリップが前記保持部に設けられていること、
を特徴とする請求項１に記載の飲料水バッグ用カートリッジ。
【請求項３】
前記注出部を差し込み可能な長孔状の差込口が前記保持部に設けられており、
前記差込口をなす開口が、前記注出部の外径よりも開口幅が大きな大開口部と、前記開口幅の小さな小開口部とが長手方向に連続するように形成されており、
前記大開口部に差し込まれた前記注出部を前記小開口部に向けて移動させることにより、前記注出部を前記開口の縁で挟んで保持可能であること、を特徴とする請求項１又は２に記載の飲料水バッグ用カートリッジ。
【請求項４】
前記注出部の外周部に、前記注出部の径方向内側に向けて窪んだ溝部が設けられており、
前記開口の縁を前記溝部に嵌め込み可能であること、
を特徴とする請求項３に記載の飲料水バッグ用カートリッジ。
【請求項５】
請求項１〜４のいずれかに記載の飲料水バッグ用カートリッジと、
飲料水バッグを配置するための略凹状のバッグ配置部と、
前記飲料水バッグに接続されるニードルと、を備えていることを特徴とするウォーターサーバー。
【請求項６】
前記飲料水バッグとして、前記注出部の端部にアタッチメントを取り付けたものが用いられ、
前記アタッチメントが、
前記注出部の端部を覆うための穿刺用樹脂製シートと、
前記シートを前記端部に水密的に保持し、前記穿刺用樹脂製シートを前記注出部とは反対側に露出させる開口を有する樹脂製キャップと、
を有すること、を特徴とするウォーターサーバー。
【請求項７】
前記穿刺用樹脂製シートと前記樹脂製キャップとが同一の材料で構成されておりかつ一体化された単一物を形成していること、を特徴とする請求項６に記載のウォーターサーバー。
【発明の詳細な説明】
【技術分野】
【０００１】
本発明は、いわゆるバッグインボックスタイプのウォーターサーバーに用いられる飲料水バッグを、ニードルタイプのウォーターサーバー（即ちニードルで飲料水バッグを穿刺して飲料水を供給するタイプのウォーターサーバー）にセットするために用いられる飲料水バッグ用カートリッジ、及びこれを用いたウォーターサーバーに関する。
【背景技術】
【０００２】
飲料水バッグにニードルを刺すことによって水を供給するタイプのウォーターサーバーとしては、例えば、尖塔状の先端部及び長さ方向に貫通する中空部を有するニードルを略鉛直方向上側に突出させる構造のものと、当該ニードルを略水平方向に突出させる構造のものが挙げられる。
【０００３】
ここで、図１０は、尖塔状の先端部及び長さ方向に貫通する中空部を有するニードル１０２を、略鉛直方向上側又は略水平方向（即ち矢印Ｚの方向）に突出させることによって、飲料水バッグ用ホルダー１０４内に保持された飲料水バッグ１１０を突き刺す構造のウォーターサーバー１００の主要部を示す図である。
【０００４】
このようなニードルタイプのウォーターサーバー１００で使用される飲料水バッグ１１０は、例えばポリエチレン等の透明樹脂製であり、これの一部に直接にニードル１０２を穿刺することによって、ニードル１０２の中空部を通して水が供給される。
【０００５】
これに対し、例えば特許文献１（特開２００８−１８９７８号公報）に開示されているように、バッグインボックスタイプ（ＢＩＢ型）のウォーターサーバー１３０が広く普及している（図１１参照）。このＢＩＢ型のウォーターサーバー１３０は、例えばポリエチレン等の透明樹脂製の飲料水バッグ１３２を、段ボール製の筐体１３８内に備え、飲料水バッグ１３２の注出部１３４に取り付けられた注出栓部材１３６によって飲料水を排出するものである。
【０００６】
しかしながら、特許文献１に記載のＢＩＢ型のウォーターサーバー１３０は、注出部１３４の位置が低いことから、利用し易くするためには一定の高さのある場所に置く必要がある。また、お客様等の他人が利用することを考慮すると、段ボール製の筐体１３８のままでは、外観上好ましくない。
【０００７】
そこで、本発明者らは、従来のＢＩＢ型のウォーターサーバーに用いられている飲料水バッグを、一定の高さを有し、例えば樹脂製の美観に優れる筐体を備えるニードルタイプのウォーターサーバー（即ちニードルで飲料水バッグを穿刺して飲料水を供給するタイプのウォーターサーバー）に使用することを検討した。
【先行技術文献】
【特許文献】
【０００８】
【特許文献１】特開２００８−１８９７８号公報
【発明の概要】
【発明が解決しようとする課題】
【０００９】
しかしながら、ＢＩＢ型のウォーターサーバーに用いられている飲料水バッグを、ニードルタイプのウォーターサーバーに用いようとすると、ニードルに対して適切な位置に飲料水バッグをセットするために一定の熟練を要するとの知見に至った。
【００１０】
かかる知見に基づき、本発明は、ニードルとの関係で適切な位置関係となるように飲料水バッグをセット可能とするための飲料水バッグ用カートリッジ、及びこれを備えたウォーターサーバーの提供を目的とした。
【課題を解決するための手段】
【００１１】
上述した課題を解決すべく提供される本発明の飲料水バッグ用カートリッジは、内部に収容された飲料水を注出部から注出可能とされた飲料水バッグを配置するための略凹状のバッグ配置部と、前記飲料水バッグに接続されるニードルとを備えたウォーターサーバーに用いられるものであって、前記飲料水バッグを受け入れた状態で前記バッグ配置部に対して挿入可能な袋受入部と、前記袋受入部を前記バッグ配置部に挿入することにより、前記飲料水バッグの注出部に前記ニードルを差し込み可能なように前記注出部を位置決めして保持する保持部と、を有するものである。
【００１２】
本発明の飲料水バッグ用カートリッジは、注出部を保持するための保持部を有し、袋受入部に配した飲料水バッグの注出部を位置決めすることができる。そのため、飲料水バッグを袋受入部に配した状態で袋受入部をバッグ配置部に対して挿入するだけで、注出部にニードルを差し込むことが可能である。従って、本発明の飲料水バッグ用カートリッジによれば、特段の熟練を要することなく、容易かつ適切に飲料水バッグをウォーターサーバーに対してセット可能となる。
【００１３】
上述した本発明の飲料水バッグ用カートリッジは、前記注出部を挟み込んで保持するクリップが前記保持部に設けられたものであることが望ましい。
【００１４】
このような構成を有する本発明の飲料水バッグ用カートリッジによれば、注出部を確実に位置決めすることが可能なる。
【００１５】
上述した本発明の飲料水バッグ用カートリッジは、前記注出部を差し込み可能な長孔状の差込口が前記保持部に設けられており、前記差込口をなす開口が、前記注出部の外径よりも開口幅が大きな大開口部と、前記開口幅の小さな小開口部とが長手方向に連続するように形成されており、前記大開口部に差し込まれた前記注出部を前記小開口部に向けて移動させることにより、前記注出部を前記開口の縁で挟んで保持可能なものであっても良い。
【００１６】
このような構成を有する本発明の飲料水バッグ用カートリッジによれば、注出部の外径の異なる様々なタイプの飲料水バッグを差込口をなす開口において保持し、ウォーターサーバーに用いることが可能となる。
【００１７】
上述した本発明の飲料水バッグ用カートリッジは、前記注出部の外周部に、前記注出部の径方向内側に向けて窪んだ溝部が設けられており、前記開口の縁を前記溝部に嵌め込み可能なものであっても良い。
【００１８】
このような構成を有する本発明の飲料水バッグ用カートリッジによれば、注出部の保持精度をより一層向上させることが可能となる。
【００１９】
上述した課題を解決すべく提供される本発明のウォーターサーバーは、上述した本発明の飲料水バッグ用カートリッジと、飲料水バッグを配置するための略凹状のバッグ配置部と、前記飲料水バッグに接続されるニードルとを備えたものである。
【００２０】
本発明のウォーターサーバーは、上述した本発明の飲料水バッグ用カートリッジを備えたものであるため、飲料水バッグを袋受入部に配した状態で袋受入部をバッグ配置部に対して挿入するだけで、注出部にニードルを差し込み可能である。従って、本発明のウォーターサーバーは、特別な技術等を要することなく容易かつ適切に飲料水バッグをセットすることが可能である。
【００２１】
上述した本発明のウォーターサーバーは、前記飲料水バッグとして、前記注出部の端部にアタッチメントを取り付けたものが用いられ、前記アタッチメントが、前記注出部の端部を覆うための穿刺用樹脂製シートと、前記シートを前記端部に水密的に保持し、前記穿刺用樹脂製シートを前記注出部とは反対側に露出させる開口を有する樹脂製キャップと、を有するものであっても良い。また上述した本発明のウォーターサーバーは、前記穿刺用樹脂製シートと前記キャップとが同一の材料で構成されておりかつ一体化された単一物を形成したものであっても良い。
【００２２】
このような構成を有する本発明のウォーターサーバーによれば、アタッチメントをＢＩＢ型のウォーターサーバーに用いられている飲料水バッグに取り付けることにより、注出部に水密的に穿刺用樹脂製シートを配置させてニードルで穿刺することができる。そのため、ＢＩＢ型のウォーターサーバーに用いられている飲料水バッグを好適にニードルタイプのウォーターサーバーで使用することができる。
【発明の効果】
【００２３】
本発明によれば、ニードルとの関係で適切な位置関係となるように飲料水バッグをセット可能とするための飲料水バッグ用カートリッジ、及びこれを備えたウォーターサーバーを提供することができる。
【図面の簡単な説明】
【００２４】
【図１】本発明の一実施形態に係るウォーターサーバーの概略構成を示す正面図である。
【図２】図１に示したウォーターサーバーのバッグ配置部近傍を拡大した平面図である。
【図３】飲料水バッグの注出部近傍を拡大した正面図である。
【図４】アタッチメントの構成を示した正面図である。
【図５】本発明の一実施形態に係る飲料水バッグ用カートリッジを示した斜視図である。
【図６】本発明の一実施形態に係る飲料水バッグ用カートリッジについてクリップを除外した状態
【図７】図５に示した飲料水バッグ用カートリッジの底面図である。
【図８】変形例に係る飲料水バッグ用カートリッジを示した斜視図である。
【図９】図８に示した飲料水バッグ用カートリッジを備えたウォーターサーバーのバッグ配置部近傍を拡大した斜視図である。
【図１０】ニードルタイプのウォーターサーバーの一例の主要部を示す概略断面図である。
【図１１】従来のＢＩＢ型のウォーターサーバーの一例を示す概略斜視図である。
【発明を実施するための形態】
【００２５】
以下、本発明の代表的な実施形態に係るウォーターサーバー１０、及び飲料水バッグ用カートリッジ５０について、図面を参照しつつ詳細に説明する。以下の説明においては、本実施形態の要部である飲料水バッグ用カートリッジ５０の説明に先立ち、ウォーターサーバー１０等の概略構成について説明する。
【００２６】
なお、以下に示す実施形態は、本発明の一実施形態を示したものに過ぎず、本発明が図示されるものに限られないことはいうまでもない。また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００２７】
≪ウォーターサーバー１０の概略構成について≫
先ず、ウォーターサーバー１０の構成について、図面を参照しつつ概略を説明する。図１に示すように、ウォーターサーバー１０は、本体部１２と、バッグ配置部１４と、ニードル１５とを備えている。本体部１２内には、バッグ配置部１４にセットされた飲料水バッグ２０から飲料水を供給可能なように配管（図示せず）が設けられている。また、本体部１２内には、冷却装置（図示せず）や加熱装置（図示せず）を備えている。これにより、飲料水バッグ２０から供給された飲料水を冷水として冷水用排出口１６に供給するとともに、飲料水を熱水として熱水用排出口１８に供給可能とされている。
【００２８】
図２に示すように、バッグ配置部１４は、飲料水バッグ２０を飲料水を収容した状態で配置するために設けられた部分である。バッグ配置部１４は、上面が開放された、略直方体で略凹状の外観形状を有する。バッグ配置部１４は、ヒンジ接続された蓋１３により上面側の開放部分を開閉可能とされている。
【００２９】
バッグ配置部１４の内周面１４ａには、上下方向に向けて略直線的に延びるように形成されたリブ１４ｂが設けられている。本実施形態では、内周面１４ａのうち、ウォーターサーバー１０の背面側の面に所定の間隔を開けて断面形状が略半円状のリブ１４ｂが２本形成されている。
【００３０】
また、バッグ配置部１４には、内側に向けて略矩形状に膨出した膨出部１４ｃが設けられている。膨出部１４ｃについても、リブ１４ｂと同様に上下方向に向けて延びるように形成されている。本実施形態では、膨出部１４ｃは、バッグ配置部１４において左右両側面の略中央部に設けられている。底面の中央部には、ニードル１５が上方に向けて突出するように設けられている。
【００３１】
ニードル１５は、バッグ配置部１４にセットされた飲料水バッグ２０に接続するために設けられたものである。具体的には、ニードル１５は、先端部が尖塔状とされており、飲料水バッグ２０に設けられた注出部２２に突き刺して接続可能とされている。ニードル１５は、長さ方向に貫通した中空の部材である。
【００３２】
また、ニードル１５は、上述した本体部１２内に設けられた配管（図示せず）に接続されている。そのため、ニードル１５を飲料水バッグ２０に接続することにより、飲料水バッグ２０を冷水用排出口１６側、あるいは熱水用排出口１８側に向けて供給することができる。
【００３３】
≪飲料水バッグ２０について≫
続いて、飲料水バッグ２０の構成について、図面を参照しつつ詳細に説明する。飲料水バッグ２０は、例えばバッグインボックスタイプ（ＢＩＢ型）のウォーターサーバーに収容されているようなものである。飲料水バッグ２０は、ポリエチレン等の透明樹脂製の袋により主要部が構成されており、この内部にミネラルウォーター等の飲料水を貯留することができる。また、飲料水バッグ２０には、内部に貯留されている飲料水を注出するための注出部２２が設けられている。
【００３４】
注出部２２は、例えばポリプロピレン等の硬さを有する材料で形成された略円筒状体で構成されている。図３に示すように、注出部２２の端部には、周方向に連続する鍔部２２ａが設けられると共に、飲料水バッグ２０の内部に通じる開口２２ｂが設けられている。また、注出部２２の外周面には、周方向に連続（又は不連続）する略環状の凸部２２ｃが２本、一定の距離をおいて設けられている。
【００３５】
注出部２２には、アタッチメント３０が取り付けられている。アタッチメント３０は、穿刺用樹脂製シート３２（以下、単に「樹脂製シート３２」とも称す）と、樹脂製シート３２を内部に保持する樹脂製キャップ３４との組合せによって構成されている。
【００３６】
樹脂製シート３２は、本実施形態においては矢印Ｘの方向からみると略円状の形態を有しており、上述したニードルタイプのウォーターサーバー１０に用いられているニードル１５によって穿刺可能な厚さを有している。
【００３７】
また、樹脂製シート３２を構成する材料は、ニードル１５によって穿刺可能なものであり、ＢＩＢ型のウォーターサーバーに用いられている飲料水バッグ２０の注出部２２の端部を水密的に（水が漏れないように）覆うことのできるものであれば特に制限はないが、可撓性や柔軟性を有するものが好ましい。例えば、発泡ポリエチレン等のポリエチレン、エラストマー、シリコーン樹脂等が、樹脂製シート３２を構成する材料として好適である。
【００３８】
樹脂製キャップ３４は、上部に略環状の鍔部３４ａを有する略円筒状体で構成されており、中央に開口３４ｂが設けられている。この開口４ｂから、樹脂製キャップ３４の内部に保持される樹脂製シート３２が外部に露出することになり、矢印Ｘの方向から移動してくるニードルによって樹脂製シート３２を穿刺することができる。また、内側面には、周方向に連続（又は不連続）する略環状の凸部３４ｃが設けられている。
【００３９】
このアタッチメント３０においては、樹脂製キャップ３４のうちの鍔部３４ａの下側部と凸部３４ｃとの間（符号Ａで示される部分）に、上記の樹脂製シート３２が保持されるが、樹脂製シート３２の厚さは十分に薄く、後述する飲用水用バッグ２側の注出部２２に連結された際に、符号Ａで示される部分に注出部２２の一部が入り込んで、樹脂製シート３２は鍔部３４ａの下側部と注出部２２の端部との間で水密的に保持されることになる。
【００４０】
樹脂製キャップ３４は、注出部２２に好適に嵌め込んで連結させることができるように、可撓性を有する材料で構成されているのが好ましい。例えば、エラストマー等が挙げられる。
【００４１】
図３に示すように、アタッチメント３０は、矢印Ｙの方向に移動させることにより、飲料水バッグ２０に設けられた注出部２２に連結して使用される。
【００４２】
≪飲料水バッグ用カートリッジ５０について≫
以下、飲料水バッグ用カートリッジ５０の構成について、図面を参照しつつ詳細に説明する。図２に示すように飲料水バッグ用カートリッジ５０は、上述したウォーターサーバー１０のバッグ配置部１４に対して飲料水バッグ２０をカートリッジ式にセット可能とするための部材である。
【００４３】
図５〜図７に示すように、飲料水バッグ用カートリッジ５０は、袋受入部５２と、保持部５４（図５及び図６においては図示せず省略）とを有する。袋受入部５２は、飲料水バッグ２０を受け入れ可能な容器状のものである。袋受入部５２は、図５及び図６に示すようにカゴ状のものとする他に中空の箱体などによって構成できる。
【００４４】
袋受入部５２の外周面は、バッグ配置部１４の内周に沿う形状とされている。具体的には、袋受入部５２の外周面５２ａのうち、バッグ配置部１４にセットする際にウォーターサーバー１０の背面側に向く面には、リブ１４ｂ，１４ｂに対応する位置に、半円状の凹部５２ｂ，５２ｂが設けられている。
【００４５】
また、バッグ配置部１４にセットする際にウォーターサーバー１０の左右に向く面には、膨出部１４ｃ，１４ｃに対応する位置にコの字型の凹部５２ｃ，５２ｃが設けられている。そのため、リブ１４ｂ，１４ｂと凹部５２ｂ，５２ｂとを位置合わせすると共に、膨出部１４ｃ，１４ｃと凹部５２ｃ，５２ｃとを位置合わせすることで、袋受入部５２をバッグ配置部１４内に位置ズレすることなく差し込むことができる。
【００４６】
袋受入部５２の底面には、差込口５６が設けられている。差込口５６は、袋受入部５２に収容させた飲料水バッグ２０の注出部２２を差し込むための開口である。差込口５６は、いかなる大きさの開口であっても良いが、開口径が注出部２２の外径よりもやや大きい程度であることが望ましい。差込口５６は、ニードル１５に対応する位置に形成されている。すなわち、袋受入部５２をバッグ配置部１４内に差し込んだ状態において、ニードル１５が差込口５６の開口領域内に入るように差込口５６が形成されている。
【００４７】
保持部５４は、差込口５６に差し込まれた飲料水バッグ２０の注出部２２を位置決めした状態で保持するためのものである。保持部５４は、注出部２２を保持可能なものであればいかなるものであっても良いが、例えば図７に示すようなクリップ５８によって構成することができる。クリップ５８は、二つの可動片５８ａ，５８ｂが、両者の間に設けられたバネ５８ｃによって閉方向（両者が近接する方向）に付勢されており、操作片５８ｄの操作により開状態とすることができる。
【００４８】
クリップ５８は、袋受入部５２の底面に取り付けられている。クリップ５８は、差込口５６に差し込まれて袋受入部５２の底から外側（ウォーターサーバー１０への取り付け状態において下方）に向けて突出した飲料水バッグ２０の注出部２２を挟み込んで保持することができる。
【００４９】
上述したように、飲料水バッグ用カートリッジ５０は、飲料水バッグ２０の注出部２２を保持するための保持部５４を有し、袋受入部５２に配した飲料水バッグ２０の注出部２２を位置決めすることができる。そのため、飲料水バッグ２０を袋受入部５２に配した状態として袋受入部５２をバッグ配置部１４に対して挿入するだけで、注出部２２にニードル１５を差し込んで接続できる。
【００５０】
従って、上述したウォーターサーバー１０は、飲料水バッグ用カートリッジ５０を用いることにより、特段の熟練を要することなく、容易かつ適切に飲料水バッグ２０をセットすることができる。
【００５１】
また、上述した飲料水バッグ用カートリッジ５０は、注出部２２を挟み込んで保持するためのクリップ５８が保持部５４に設けられている。そのため、注出部２２をより一層確実に位置決めすることが可能なる。
【００５２】
なお、上述した飲料水バッグ用カートリッジ５０においては、クリップ５８により注出部２２を保持する構成を例示したが、本発明はこれに限定されるものではない。具体的には、図８及び図９に示した変形例に係る飲料水バッグ用カートリッジ１５０のようなものとすることが可能である。
【００５３】
以下、飲料水バッグ用カートリッジ１５０について、図面を参照しつつ詳細に説明する。なお、上述した飲料水バッグ用カートリッジ５０と共通する部分については、詳細な説明を省略し、同一の符号を用いて説明する。
【００５４】
飲料水バッグ用カートリッジ１５０の保持部１５４には、上述した差込口５６に代えて、底面の略中央部に注出部２２を差し込み可能な長孔状の差込口１５６が設けられている。差込口１５６をなす開口は、注出部２２の外径よりも開口幅が大きな大開口部１５６ａと、開口幅の小さな小開口部１５６ｂとが長手方向に連続するように形成されたものである。
【００５５】
飲料水バッグ用カートリッジ１５０に飲料水バッグ２０をセットする際には、大開口部１５６ａに注出部２２を差し込んだ後、注出部２２をさらに小開口部１５６ｂに向けて移動させる。これにより、注出部２２が差込口１５６をなす開口の縁によって挟まれた保持された状態になる。
【００５６】
このような構成とすることにより、注出部２２の外径の異なる様々なタイプの飲料水バッグ２０を差込口１５６をなす開口において保持し、ウォーターサーバー１０に用いることが可能となる。飲料水バッグ用カートリッジ１５０においては、クリップ５８のような保持用の部材を設けてもよいが、差込口１５６をなす開口の縁によって挟み込むことで十分な強度で注出部２２を保持可能であればクリップ５８等の保持部材を設ける必要がなく、その分だけ構成をシンプルにすることができる。
【００５７】
また、飲料水バッグ用カートリッジ１５０は、注出部２２の外周部に、注出部２２の径方向内側に向けて窪んだ溝部２２ｄが設けられており、差込口１５６をなす開口の縁を溝部２２ｄに嵌め込み可能なものとすることが望ましい。具体的には、差込口１５６の縁近傍の板厚を溝部２２ｄの幅以下とすることが望ましい。このような構成とすることにより、注出部２２が差込口１５６に対して係合した状態なり、注出部２２をより一層位置決め精度よく保持可能となる。
【００５８】
また、飲料水バッグ用カートリッジ５０，１５０においては、飲料水バッグ２０を収容した状態でバッグ配置部１４に向けて搬送しやすいように、方策を講じることが望ましい。具体的には、図８や図９に示すように、ハンドル１６０等の持ち手を設けた構成とすることが望ましい。
【００５９】
また、図８において矢印で示すようにハンドル１６０を常時は倒しておき、搬送等の際に必要に応じて引き起こし可能としても良い。さらに、図９に示すようにウォーターサーバー１０側にロック解除ボタン１６２と連動して作動する作動片１６４を設けた構成としても良い。
【００６０】
図９に示す例では、飲料水バッグ用カートリッジ１５０をバッグ配置部１４にセットし状態になると、倒れた状態であるハンドル１６０の上に作動片１６４が突き出た状態になり、ハンドル１６０の引き起こし操作ができなくなる。
【００６１】
一方、ロック解除ボタン１６２を押圧すると、作動片１６４がハンドル１６０の上方からウォーターサーバー１０の本体内に退入した状態になり、ハンドル１６０の引き起こし操作が可能となる。このような構成とすることにより、誤操作により予期せず飲料水バッグ用カートリッジ１５０がバッグ配置部１４から取り外されてしまうことを防止できる。
【００６２】
上述した本実施形態のウォーターサーバー１０は、飲料水バッグ２０として、注出部２２の端部にアタッチメント３０を取り付けたものを用い、注出部２２に水密的に配置された樹脂製シートをニードル１５で穿刺可能とされている。そのため、ＢＩＢ型のウォーターサーバーに用いられている飲料水バッグ２０を好適にニードルタイプのウォーターサーバー１０で使用することができる。
【産業上の利用可能性】
【００６３】
本発明は、飲料水バッグの注出部にニードルを接続して使用するタイプのウォーターサーバー全般において好適に利用することができる。
【符号の説明】
【００６４】
１０    ウォーターサーバー
１４    バッグ配置部
１５    ニードル
２０    飲料水バッグ
２２    注出部
２２ｄ  溝部
３０    アタッチメント
３２    穿刺用樹脂製シート
３４    樹脂製キャップ
３４ｂ  開口
５０    飲料水バッグ用カートリッジ
５２    袋受入部
５４    保持部
５８    クリップ
１５０    飲料水バッグ用カートリッジ
１５６    差込口
１５６ａ  大開口部
１５６ｂ  小開口部
【図１】
2016022986.tif 000003
【図２】
2016022986.tif 000004
【図３】
2016022986.tif 000005
【図４】
2016022986.tif 000006
【図５】
2016022986.tif 000007
【図６】
2016022986.tif 000008
【図７】
2016022986.tif 000009
【図８】
2016022986.tif 000010
【図９】
2016022986.tif 000011
【図１０】
2016022986.tif 000012
【図１１】
2016022986.tif 000013